(57)【要約】  【課題】コンテンツの内容を補足する情報を、ユーザが携帯情報端末を用いて容易に取得できるようなシステムを実現する。  【解決手段】情報再生機器１０は、メディア４０の再生中に、メディア４０から読み取ったコンテンツ補足情報のコードをリアルタイムで携帯情報端末３０へ送信する。携帯情報端末３０は、情報再生機器１０から受信したコードをサーバ５０へ転送する。サーバ５０は、携帯情報端末３０から受信したコードを解読して、当該コードに対応するコンテンツ補足情報を抽出し、抽出した補足情報を携帯情報端末３０へ送信する。携帯情報端末３０は、サーバ５０から受信したコンテンツ補足情報を表示部３１に表示する。【選択図】  図８
2005260322.tif 000002
【特許請求の範囲】
【請求項１】
メディアから読み取った情報に基づいて、メディアに記録されているコンテンツを再生するとともに、当該コンテンツの内容を補足するコンテンツ補足情報を送信する情報再生機器と、
前記情報再生機器から送信されたコンテンツ補足情報を受信する携帯情報端末と、を備え、
前記情報再生機器は、メディアの再生中に、当該メディアから読み取ったコンテンツ補足情報をリアルタイムで送信し、
前記携帯情報端末は、前記情報再生機器から受信したコンテンツ補足情報を表示することを特徴とするコンテンツ補足情報提供システム。
【請求項２】
メディアから読み取った情報に基づいて、メディアに記録されているコンテンツを再生するとともに、当該コンテンツの内容を補足するコンテンツ補足情報のコードを送信する情報再生機器と、
前記情報再生機器から送信された前記コードを受信する携帯情報端末と、
前記携帯情報端末との間で通信を行うサーバと、を備え、
前記情報再生機器は、メディアの再生中に、当該メディアから読み取ったコンテンツ補足情報のコードをリアルタイムで送信し、
前記携帯情報端末は、前記情報再生機器から受信したコードを前記サーバへ送信し、
前記サーバは、前記携帯情報端末から受信したコードを解読して当該コードに対応するコンテンツ補足情報を抽出するとともに、抽出したコンテンツ補足情報を前記携帯情報端末へ送信し、
前記携帯情報端末は、前記サーバから受信したコンテンツ補足情報を表示することを特徴とするコンテンツ補足情報提供システム。
【請求項３】
請求項１または請求項２に記載のコンテンツ補足情報提供システムにおいて、
前記コンテンツ補足情報は、コンテンツのタイトル名を含むインデックス情報と、コンテンツの所定場面での解説情報とを含むことを特徴とするコンテンツ補足情報提供システム。
【請求項４】
メディアから読み取った情報に基づいて、メディアに記録されているコンテンツを再生するとともに、当該コンテンツの内容を補足するコンテンツ補足情報を送信する情報再生機器との間で通信が可能な携帯情報端末であって、
前記メディアの再生中に、前記情報再生機器からリアルタイムで送信されて来るコンテンツ補足情報を受信する受信手段と、
前記受信手段で受信したコンテンツ補足情報を表示する表示手段と、
を備えたことを特徴とする携帯情報端末。
【請求項５】
メディアから読み取った情報に基づいて、メディアに記録されているコンテンツを再生するとともに、当該コンテンツの内容を補足するコンテンツ補足情報のコードを送信する情報再生機器との間で通信が可能な携帯情報端末であって、
前記メディアの再生中に、前記情報再生機器からリアルタイムで送信されて来るコンテンツ補足情報のコードを受信する受信手段と、
前記受信手段で受信したコードを前記サーバへ送信する送信手段と、
前記サーバから前記コードの解読に基づいて送信されて来るコンテンツ補足情報を表示する表示手段と、
を備えたことを特徴とする携帯情報端末。
【請求項６】
請求項４または請求項５に記載の携帯情報端末において、
前記表示手段に表示されるコンテンツの場面に応じた音声を出力することを特徴とする携帯情報端末。
【請求項７】
請求項４または請求項５に記載の携帯情報端末において、
前記表示手段に表示されるコンテンツの場面に応じた振動を発生させることを特徴とする携帯情報端末。
【請求項８】
メディアに記録されているコンテンツを再生する情報再生機器から当該コンテンツの内容を補足するコンテンツ補足情報のコードを取得して当該コードを送信する携帯情報端末との間で通信が可能なサーバであって、
前記コードに対応させてコンテンツ補足情報を記憶した記憶装置と、
前記携帯情報端末から送信されて来るコンテンツ補足情報のコードを受信する受信手段と、
前記受信手段が受信したコードに基づいて、前記記憶装置から該当するコンテンツ補足情報を抽出する抽出手段と、
前記抽出手段で抽出されたコンテンツ補足情報を前記携帯情報端末へ送信する送信手段と、
を備えたことを特徴とするサーバ。
【発明の詳細な説明】
【技術分野】
【０００１】
本発明は、ＤＶＤ等のメディアに記録されているコンテンツの内容を補足する情報をユーザが簡単に取得できるようにしたコンテンツ補足情報提供システムに関するものである。
【背景技術】
【０００２】
大容量のデータを高密度に記録できるＤＶＤ（Digital Versatile Disk）のようなメディアの出現に伴い、メディアに記録されている映像や音声等のコンテンツを再生するＤＶＤプレーヤのような情報再生機器が普及するようになった。据置き型のＤＶＤプレーヤの場合、ディスク挿入口へＤＶＤを挿入して再生動作を開始すると、ＤＶＤに記録されている映像データ、音声データが光ピックアップで読み取られて再生され、プレーヤに接続されたモニタに再生映像が映し出されるとともに、プレーヤに接続されたスピーカから音声が出力されるようになっている。
【０００３】
しかしながら、従来のシステムでは、例えば映画を収録したＤＶＤを再生する場合、映画のタイトル名や製作会社名、監督名、出演俳優名などがオープニングで表示されるが、映画がスタートした後は、映画の内容に関する情報は表示されなかった。このため、例えば、ある場面で登場する最新型兵器の詳細とか、バックに流れている楽曲などについて知りたくても、そのような情報をＤＶＤの再生中に取得することはできなかった。
【０００４】
なお、下記の特許文献１には、テレビ等の機器とリモコンとの間で双方向通信を行うようにし、機器の状態（例えば、選局されたチャンネルや音量等）をリモコンの表示部へ表示して確認できるようにしたシステムが開示されている。しかしながら、このシステムでは、リモコンに表示されるのは機器の状態を示す情報にとどまり、機器で再生される内容に関する情報まで表示されるわけではないから、上述した問題点を解決することはできない。
【０００５】
また、下記の特許文献２には、携帯端末装置にテレビやラジオの放送番組を受信する受信装置を内蔵し、受信した放送番組の映像を携帯端末装置の表示部に表示するようにしたシステムが開示されている。しかしながら、このシステムでは、携帯端末装置に表示されるのは番組の映像であり、映像の内容に関する情報まで表示されるわけではないから、やはり上述した問題点を解決することはできない。
【０００６】
【特許文献１】特開平６−１２１３８０号公報（段落番号０００６〜０００７）
【特許文献２】特開２００２−２３２５９８号公報（段落番号０１０７）
【発明の開示】
【発明が解決しようとする課題】
【０００７】
以上のように、従来のシステムでは、情報再生機器で再生されるコンテンツの内容に関する情報をユーザに提供することができず、ユーザはそのような情報を簡便に取得することができなかった。本発明は、このような課題に鑑み、コンテンツの内容を補足する情報を、ユーザが携帯情報端末を用いて容易に取得できるようなシステムを実現することを目的としている。
【課題を解決するための手段】
【０００８】
本発明の第１の形態に係るコンテンツ補足情報提供システムは、メディアから読み取った情報に基づいて、メディアに記録されているコンテンツを再生するとともに、当該コンテンツの内容を補足するコンテンツ補足情報を送信する情報再生機器と、この情報再生機器から送信されたコンテンツ補足情報を受信する携帯情報端末とを備える。  情報再生機器は、メディアの再生中に、当該メディアから読み取ったコンテンツ補足情報をリアルタイムで送信し、携帯情報端末は、情報再生機器から受信したコンテンツ補足情報を表示する。
【０００９】
このように、情報再生機器から携帯情報端末へコンテンツの内容を補足する補足情報をリアルタイムで送信することにより、携帯情報端末にはコンテンツの場面に応じた補足情報が表示されるので、ユーザは、メディアの再生中に、必要に応じて携帯情報端末を見ることで、補足情報を確認することができ、従来にも増して映画等のコンテンツをより一層楽しむことができる。また、補足情報は携帯情報端末に表示されるため、情報再生機器に接続されたモニタの画面上で、本来の映像が補足情報により邪魔されることもない。
【００１０】
本発明の第２の形態に係るコンテンツ補足情報提供システムは、メディアから読み取った情報に基づいて、メディアに記録されているコンテンツを再生するとともに、当該コンテンツの内容を補足するコンテンツ補足情報のコードを送信する情報再生機器と、この情報再生機器から送信されたコードを受信する携帯情報端末と、この携帯情報端末との間で通信を行うサーバとを備える。情報再生機器は、メディアの再生中に、当該メディアから読み取ったコンテンツ補足情報のコードをリアルタイムで送信する。携帯情報端末は、情報再生機器から受信したコードをサーバへ送信する。サーバは、携帯情報端末から受信したコードを解読して当該コードに対応するコンテンツ補足情報を抽出するとともに、抽出したコンテンツ補足情報を前記携帯情報端末へ送信する。携帯情報端末は、サーバから受信したコンテンツ補足情報を表示する。
【００１１】
このように、情報再生機器から携帯情報端末へコンテンツ補足情報のコードを送信し、このコードを携帯情報端末からサーバへ転送して、サーバでコンテンツ補足情報を抽出するシステムとしたことにより、メディアにはコードのみを記録しておけばよく、文字や画像等のコンテンツ補足情報を記録する必要がないので、メディアに記録するデータ量を大幅に低減することができる。また、情報再生機器からコンテンツ補足情報のコードをリアルタイムで送信することで、携帯情報端末にはコンテンツの場面に応じた補足情報が表示されるので、ユーザは、メディアの再生中に必要に応じて携帯情報端末を見ることで、補足情報を確認することができ、従来にも増して映画等のコンテンツをより一層楽しむことができる。さらに、補足情報は携帯情報端末に表示されるため、情報再生機器に接続されたモニタの画面上で、本来の映像が補足情報により邪魔されることもない。
【００１２】
上述したいずれの形態のシステムにおいても、コンテンツ補足情報として、コンテンツのタイトル名を含むインデックス情報と、コンテンツの所定場面での解説情報とを含ませることが可能である。インデックス情報は、コンテンツの書誌事項を表す情報であって、例えば、映画のタイトル名や製作会社名、監督名、出演俳優名などの情報である。解説情報は、コンテンツのある場面に登場する特定の事物について解説した情報であって、例えば、ある場面でバックに流れている楽曲の解説や、ある場面が撮影されたロケ地についての解説などである。このような解説情報を所定の場面で携帯情報端末に表示することによって、コンテンツに対するユーザの理解が深まり、娯楽性を一層高めることができる。
【００１３】
次に、本発明の第１の形態に係る携帯情報端末は、メディアから読み取った情報に基づいて、メディアに記録されているコンテンツを再生するとともに、当該コンテンツの内容を補足するコンテンツ補足情報を送信する情報再生機器との間で通信が可能な携帯情報端末であって、メディアの再生中に、情報再生機器からリアルタイムで送信されて来るコンテンツ補足情報を受信する受信手段と、この受信手段で受信したコンテンツ補足情報を表示する表示手段とを備える。
【００１４】
このように、情報再生機器からリアルタイムで送信されて来るコンテンツ補足情報を受信して表示するようにしたことにより、携帯情報端末にはコンテンツの場面に応じた補足情報が表示されるので、ユーザは、メディアの再生中に、必要に応じて携帯情報端末を見ることで、補足情報を確認することができ、従来にも増して映画等のコンテンツをより一層楽しむことができる。また、補足情報は携帯情報端末に表示されるため、情報再生機器に接続されたモニタの画面上で、本来の映像が補足情報により邪魔されることもない。
【００１５】
本発明の第２の形態に係る携帯情報端末は、メディアから読み取った情報に基づいて、メディアに記録されているコンテンツを再生するとともに、当該コンテンツの内容を補足するコンテンツ補足情報のコードを送信する情報再生機器との間で通信が可能な携帯情報端末であって、メディアの再生中に、情報再生機器からリアルタイムで送信されて来るコンテンツ補足情報のコードを受信する受信手段と、この受信手段で受信したコードをサーバへ送信する送信手段と、サーバからコードの解読に基づいて送信されて来るコンテンツ補足情報を表示する表示手段とを備える。
【００１６】
このように、情報再生機器からコンテンツ補足情報のコードを受信し、このコードをサーバへ転送して、サーバ側でコンテンツ補足情報を抽出するようにしたことで、携帯情報端末側でコードを解読してコンテンツ補足情報を抽出する場合に比べて、携帯情報端末の処理負担が軽減され、構成が複雑になることもない。また、携帯情報端末にはコンテンツの場面に応じた補足情報が表示されるので、ユーザは、メディアの再生中に、必要に応じて携帯情報端末を見ることで、補足情報を確認することができ、従来にも増して映画等のコンテンツをより一層楽しむことができる。さらに、補足情報は携帯情報端末に表示されるため、情報再生機器に接続されたモニタの画面上で、本来の映像が補足情報により邪魔されることもない。
【００１７】
上述したいずれの形態の携帯情報端末においても、表示手段に表示されるコンテンツの場面に応じた音声を出力するようにしてもよい。音声には、楽曲や効果音などのほか人の声も含む。これによると、例えば、解説情報の表示とともに楽曲を流したり、解説情報を音声で出力したりすることができる。
【００１８】
また、上述したいずれの形態の携帯情報端末においても、表示手段に表示されるコンテンツの場面に応じた振動を発生させるようにしてもよい。この振動は、当該場面の内容にふさわしいパターンおよび周期で発生させるとよい。これによると、例えば、爆発のシーンにおいて、爆発の衝撃が伝わってくるかのような興奮をユーザに与え、娯楽性をより高めることができる。
【００１９】
次に、本発明に係るサーバは、メディアに記録されているコンテンツを再生する情報再生機器から当該コンテンツの内容を補足するコンテンツ補足情報のコードを取得して当該コードを送信する携帯情報端末との間で通信が可能なサーバであって、上記コードに対応させてコンテンツ補足情報を記憶した記憶装置と、携帯情報端末から送信されて来るコンテンツ補足情報のコードを受信する受信手段と、この受信手段が受信したコードに基づいて、記憶装置から該当するコンテンツ補足情報を抽出する抽出手段と、この抽出手段で抽出されたコンテンツ補足情報を携帯情報端末へ送信する送信手段とを備える。
【００２０】
このように、コードに対応してコンテンツ補足情報を記憶した記憶装置を有するサーバを用いることで、大量のコンテンツ補足情報をサーバに蓄積することができ、豊富なコンテンツ補足情報をユーザに提供することが可能となる。
【発明の効果】
【００２１】
本発明によれば、情報再生機器で再生されるコンテンツの補足情報を、ユーザが携帯情報端末を用いて容易に取得できるシステムが実現される。
【発明を実施するための最良の形態】
【００２２】
図１は、本発明に係るコンテンツ補足情報提供システムの第１実施形態を示す図である。本システムは、情報再生機器１０と、この情報再生機器１０に接続されたモニタ２０と、情報再生機器１０と通信が可能な携帯情報端末３０とから構成される。ここでは、情報再生機器１０はＤＶＤプレーヤであり、携帯情報端末３０は携帯電話機である。したがって、以下では、情報再生機器１０をＤＶＤプレーヤ１０と記し、携帯情報端末３０を携帯電話機３０と記すこととする。４０は、メディアとしてのＤＶＤであって、映像や音声などのコンテンツと、コンテンツ補足情報とが記録されている。コンテンツ補足情報については、後で具体的に説明する。ＤＶＤプレーヤ１０において、１４は再生・停止・早送り・早戻し等の各種操作を行うためのキーを備えた操作部、１５は現在時刻や再生時間、プレーヤの動作状態等を表示する蛍光管ディスプレイ等からなる表示部、１７は携帯電話機３０や図示しないリモコンと通信を行う通信部、１８はＤＶＤ４０を挿入するためのディスク挿入口である。また、携帯電話機３０において、３１は操作部、３３は表示部をそれぞれ示している。なお、モニタ２０としては、テレビジョン受像機のモニタが用いられるが、専用のモニタを用いてもよい。
【００２３】
図２は、ＤＶＤプレーヤ１０の電気的構成を示したブロック図である。ここでは、情報の再生と記録の両機能を備えたＤＶＤプレーヤ１０を例に挙げている。図２において、１１は、ＤＶＤ４０に対して情報の読取りと書込みとを行うディスク読取／書込部であって、光ピックアップやその駆動部などから構成される。１２は、映像信号や音声信号を処理する信号処理部であって、ディスク読取／書込部１１によりＤＶＤ４０から読み取った信号を処理して再生信号として出力するとともに、外部から入力される記録信号を処理してディスク読取／書込部１１へ出力する。１３は、ＤＶＤ４０を駆動するためのディスク駆動部であって、ＤＶＤ４０を回転させるディスクモータやその駆動回路などから構成される。１４と１５は、それぞれ図１で説明した操作部と表示部、１６はＲＡＭやＲＯＭなどからなるメモリである。１７は図１で説明した通信部であって、携帯電話機３０へデータを送信するための送信部と、図示しないリモコンからの信号を受信する受信部とを備えている。１８は、ＤＶＤプレーヤ１０の動作を制御する制御部であって、マイクロコンピュータなどから構成される。
【００２４】
図３は、携帯電話機３０の電気的構成を示したブロック図である。３１は図１でも示した操作部であって、各種のキーから構成される。３２はマイクロフォン等から構成される音声入力部である。３３は図１でも示した表示部であって、例えば液晶ディスプレイから構成される。３４はスピーカ等から構成される音声出力部である。３５は通信回線を介して電話や電子メールの通信を行う通信部である。この通信部３５は、ＤＶＤプレーヤ１０の通信部１７から送信されるデータを受信する機能も有している。３６はＲＯＭやＲＡＭ等のメモリから構成される記憶部である。３７は振動子を備えた振動発生部であって、電話や電子メールの着信時などに振動を発生することにより、利用者に着信を報知する。３８は携帯電話機３０の動作を制御する制御部であって、マイクロコンピュータなどから構成される。以上の構成において、表示部３３は携帯電話機３０における表示手段に相当し、通信部３５は携帯電話機３０における受信手段および送信手段に相当する。
【００２５】
図４は、ＤＶＤ４０における記録フォーマットの一部を示した図である。図４（ａ）は、再生されるコンテンツの基本単位となるセル（Ｃｅｌｌ）を示している。映像の切換は、このセル単位で行なわれる。各セルは、図４（ｂ）に示すように、複数のＶＯＢＵ（ビデオ・オブジェクト・ユニット）からなる。さらに、各ＶＯＢＵは、図４（ｃ）に示すように、ナビゲーションパックＮ、ビデオパックＶ、オーディオパックＡ、サブピクチャーパックＳＰからなる。ナビゲーションパックＮは、ＶＯＢＵの先頭に位置する制御データである。ビデオパックＶは、映像信号をＭＰＥＧ２（Moving Picture Experts Group phase ２）規格に従って圧縮した主映像データである。オーディオパックＡは、音声信号をＰＣＭ（Pulse Cord Modulation）方式でデジタル化処理した音声データである。サブピクチャーパックＳＰは、字幕などの副映像信号をランレングス圧縮した副映像データである。なお、各パックは１セル中に１つとは限らず、２つ以上含まれる場合もある。逆に、１セル中に特定のパックが含まれていない場合もある。
【００２６】
本実施形態では、サブピクチャーパックＳＰの領域に、後述する図６〜図７のようなコンテンツ補足情報が、文字や画像の副映像として記録されている。サブピクチャーパックＳＰには、字幕情報が記録される場合があるが、字幕情報とコンテンツ補足情報とは、例えばそれぞれの先頭に置かれるヘッダ情報により区別することができる。なお、この補足情報は、全てのサブピクチャーパックＳＰに記録されているのではなく、補足情報の表示が必要な場面に対応するサブピクチャーパックＳＰに記録されている。勿論、全てのサブピクチャーパックＳＰに補足情報が記録されていてもよく、本発明はそのような実施形態を除外するものではない。
【００２７】
次に、以上のシステムにおけるコンテンツ補足情報の提供について説明する。図５は、その手順を示したフローチャートである。ＤＶＤプレーヤ１０側の処理は、制御部１８を構成するマイクロコンピュータにより実行され、携帯電話機３０側の処理は、制御部３８を構成するマイクロコンピュータにより実行される。
【００２８】
ＤＶＤプレーヤ１０においてＤＶＤ４０を再生する場合、まずＤＶＤプレーヤ１０の電源をＯＮにしてから（ステップＳ１）、図１に示したディスク挿入口１８へＤＶＤ４０を挿入してプレーヤ１０にセットする（ステップＳ２）。その後、操作部１４もしくは図示しないリモコンを操作して、再生を開始する（ステップＳ３）。これにより、ディスク読取／書込部１１（図２）がＤＶＤ４０に記録されている情報を読み取り、読み取られた情報を信号処理部１２が処理して、再生信号として出力する。再生された映像信号はモニタ２０へ送られ、モニタ２０の画面に映像が表示される。また、再生された音声信号は図示しないスピーカへ送られ、スピーカから音声が出力される。スピーカはモニタ２０に内蔵されたものであってもよい。
【００２９】
上記再生の過程において、図４（ｃ）に示したＤＶＤ４０の記録情報は、ディスク読取／書込部１１で順次読み取られ、信号処理部１２で種類別に振分けられる。信号処理部１２は、ビデオパックＶを集めて映像ストリームを生成し、オーディオパックＡを集めて音声ストリームを生成し、サブピクチャーパックＳＰを集めて副映像ストリームを生成する。なお、サブピクチャーパックＳＰに記録されているコンテンツ補足情報は、前述のように字幕と区別されるので、副映像ストリームの対象とはならない。信号処理部１２は、これらのストリームのデータをデコードすることにより、主映像、音声、副映像の再生信号を出力する。ここで、ディスク読取／書込部１１がサブピクチャーパックＳＰに記録されているコンテンツ補足情報を読み取ると、信号処理部１２でデコードされた補足情報は、制御部１８を介して通信部１７からリアルタイムで発信される（ステップＳ４）。続いて、ＤＶＤプレーヤ１０が再生中であるか否かを判定し（ステップＳ５）、再生中であれば（ステップＳ５:ＹＥＳ）、ステップＳ４へ戻って、ＤＶＤ４０からコンテンツ補足情報を読み取り、ステップＳ４〜Ｓ５の処理を反復する。また、再生中でなければ（ステップＳ５:ＮＯ）、処理を終了する（ステップＳ６）。
【００３０】
一方、携帯電話機３０においては、電源をＯＮにし（ステップＳ１１）、操作部３１のキー操作により、動作モードをプレーヤ通信モードに設定すると（ステップＳ１２）、受信待ちの待機状態となる（ステップＳ１３）。そして、ステップＳ４でＤＶＤプレーヤ１０から送信されたコンテンツ補足情報を通信部３５で受信すると（ステップＳ１４）、受信したコンテンツ補足情報を表示部３３に表示する（ステップＳ１５）。その後、ステップＳ１３へ戻って、受信待ちの待機状態となり、以後ステップＳ１３〜Ｓ１５の処理を反復する。
【００３１】
図６〜図７は、携帯電話機３０の表示部３３に表示されるコンテンツ補足情報の一例を示している。ＤＶＤ４０の再生が開始されると、ＤＶＤ４０のサブピクチャーパックＳＰのコンテンツ補足情報（副映像）が読み取られて、図６（ａ）のように、映画のタイトル名、監督名、主演俳優名、製作年、国名などのインデックス情報が文字で表示される。続いて、図６（ｂ）のように、監督や俳優などのプロフィール情報が表示される。ここには、例えば顔写真、経歴、映画でのハイライトシーンなどが文字や画像で表示される。また、これに続いて、図６（ｃ）のように、映画のストーリーが文字で表示される。視聴者は、これらの情報を取得することによって、鑑賞する映画の予備知識を持つことができ、映画をより深く興味を持って楽しむことができる。また、これらの補足情報は、モニタ２０ではなく携帯電話機３０の表示部３３に表示されるため、モニタ２０の画面に映し出される映像が補足情報の文字や画像によって邪魔されることもない。
【００３２】
上述したインデックス情報やプロフィール情報などの表示が終了すると、引続いて、ディスク読取／書込部１１により、ＤＶＤ４０のサブピクチャーパックＳＰからコンテンツ補足情報が読み取られる。以降のコンテンツ補足情報は、主として映画の所定場面での解説情報から構成される。図７には、携帯電話機３０の表示部３３に表示される解説情報の例が示されている。図７（ａ）では、そのシーンが撮影されたロケ地を解説した情報が表示され、図７（ｂ）では、映画に登場する施設に関する情報が表示され、図７（ｃ）では、バックに流れている楽曲に関する情報が表示されている。視聴者は、このような各場面での解説情報を取得することによって、鑑賞する映画に対する理解をより深めることができ、映画をより一層楽しむことができる。また、これらの解説情報も、モニタ２０ではなく携帯電話機３０に表示されるため、モニタ２０の画面上で映像が補足情報によって邪魔されることもない。
【００３３】
なお、図７では、解説情報が文字のみで表示されているが、文字に画像を付加して表示してもよい。また、映画のストーリーの進行中は、解説情報だけに限らず、必要な場面で他の補足情報を表示するようにしてもよい。例えば、ある場面で初めて登場する俳優のプロフィール情報を、その場面において図６（ｂ）のように表示することもできる。
【００３４】
また、他の実施形態として、映画の場面に応じた音声を出力するようにしてもよい。例えば、解説情報を文字や画像で表示するだけでなく、音声で出力するようにしてもよい。また、所定のシーンにおいて、解説情報の表示とともに、楽曲を流すようにしてもよい。これらの場合、音声は携帯電話機３０の音声出力部３４から出力される。
【００３５】
さらに、他の実施形態として、映画の場面に応じた振動を携帯電話機３０に発生させるようにしてもよい。この振動は、振動発生部３７の振動子を駆動することにより発生する。例えば、爆発のシーンにおいて、携帯電話機３０を爆発音に合わせたパターンおよび周期で振動させることにより、視聴者は携帯電話機３０を通して、あたかも爆発の衝撃が伝わってくるかのような興奮を覚え、映画のシーンに迫力を与えて娯楽性を一層高めることができる。
【００３６】
図８は、本発明に係るコンテンツ補足情報提供システムの第２実施形態を示す図である。本システムは、情報再生機器１０と、この情報再生機器１０に接続されたモニタ２０と、情報再生機器１０と通信が可能な携帯情報端末３０と、この携帯情報端末３０との間で通信を行うサーバ５０とから構成される。ここでも、第１実施形態と同様に、情報再生機器１０はＤＶＤプレーヤであり、携帯情報端末３０は携帯電話機である。したがって、以下では、情報再生機器１０をＤＶＤプレーヤ１０と記し、携帯情報端末３０を携帯電話機３０と記すこととする。４０はメディアとしてのＤＶＤ、ＤＶＤプレーヤ１０の１４は操作部、１５は表示部、１７は通信部、１８はディスク挿入口であって、これらは図１のものと同じである。また、携帯電話機３０の３１は操作部、３３は表示部であって、これらも図１のものと同じである。また、モニタ２０も図１のものと同じである。
【００３７】
ＤＶＤプレーヤ１０の電気的構成は図２と同じであり、携帯電話機３０の電気的構成は図３と同じであるから、それらの詳細な説明は省略する。なお、第２実施形態においては、携帯電話機３０の通信部３５は、サーバ５０と通信を行う機能を備えている。
【００３８】
ＤＶＤ４０の記録フォーマットも、図４と基本的に同じであるが、第１実施形態では、コンテンツ補足情報が文字や画像の副映像としてサブピクチャーパックＳＰに記録されていたのに対し、第２実施形態では、コンテンツ補足情報がコードの形で記録されている点が異なる。このコンテンツ補足情報のコードは、第１実施形態の副映像と同様に、映画の場面に対応させて、ＤＶＤ４０の所定領域、例えば、その場面に対応するセルのナビゲーションパックＮの領域に記録されている。ナビゲーションパックＮにおける制御情報等とコンテンツ補足情報のコードとは、例えばそれぞれの先頭に置かれるヘッダ情報により区別することができる。１つのコードは、例えば１２８ビットのデータからなり、第１実施形態の副映像に比べると、データサイズは非常に小さなものとなっている。
【００３９】
図９は、サーバ５０の電気的構成を示したブロック図である。５１は情報を入力するための入力装置であって、キーボードやディスクドライブ、外部インターフェイス等を備えている。５２は通信部であって、携帯電話機３０の通信部３５との間で通信を行うための送受信回路を備えている。５３はＲＯＭやＲＡＭ等のメモリから構成されるメモリ、５４は情報を表示する表示部である。５５は大容量のハードディスクを備えた記憶装置であって、このハードディスクには、コンテンツ補足情報とそのコードとを記憶したデータベース５６が格納されている。５７はサーバ５０の動作を制御する制御部であって、マイクロコンピュータなどから構成される。以上の構成において、通信部５２はサーバ５０における受信手段および送信手段に相当し、制御部５７はサーバ５０における抽出手段に相当する。
【００４０】
図１０は、サーバ５０におけるデータベース５６の一例を示した図である。データベース５６は、ＤＶＤ４０に記録されている前述のコードと、各コードに対応するコンテンツ補足情報とからなる。コンテンツ補足情報は、第１実施形態と同様に、インデックス情報、プロフィール情報、ストーリー情報、解説情報などからなり、それぞれの情報に対してコードが割当てられている。これらの情報は、文字・画像・音声など、様々な形態をとることができる。
【００４１】
次に、第２実施形態におけるコンテンツ補足情報の提供について説明する。図１１は、その手順を示したフローチャートである。ＤＶＤプレーヤ１０側の処理は、制御部１８を構成するマイクロコンピュータにより実行され、携帯電話機３０側の処理は、制御部３８を構成するマイクロコンピュータにより実行され、サーバ５０側の処理は、制御部５７を構成するマイクロコンピュータにより実行される。
【００４２】
ＤＶＤプレーヤ１０においてＤＶＤ４０を再生する場合、まずＤＶＤプレーヤ１０の電源をＯＮにしてから（ステップＳ２１）、図１に示したディスク挿入口１８へＤＶＤ４０を挿入してプレーヤ１０にセットする（ステップＳ２２）。その後、操作部１４もしくは図示しないリモコンを操作して、再生を開始する（ステップＳ２３）。これにより、ディスク読取／書込部１１（図２）がＤＶＤ４０に記録されている情報を読み取り、読み取られた情報を信号処理部１２が処理して、再生信号として出力する。再生された映像信号はモニタ２０へ送られ、モニタ２０の画面に映像が表示される。また、再生された音声信号は図示しないスピーカへ送られ、スピーカから音声が出力される。スピーカはモニタ２０に内蔵されたものであってもよい。
【００４３】
上記再生の過程において、図４（ｃ）に示したＤＶＤ４０の記録情報は、ディスク読取／書込部１１で順次読み取られ、信号処理部１２で種類別に振分けられる。信号処理部１２は、ビデオパックＶを集めて映像ストリームを生成し、オーディオパックＡを集めて音声ストリームを生成し、サブピクチャーパックＳＰを集めて副映像ストリームを生成する。そして、これらのストリームのデータをデコードすることにより、主映像、音声、副映像の再生信号を出力する。ここで、ディスク読取／書込部１１がナビゲーションパックＮに記録されているコンテンツ補足情報のコードを読み取ると、このコードは、ディスク読取／書込部１１から制御部１８へ送られ、通信部１７からリアルタイムで発信される（ステップＳ２４）。続いて、ＤＶＤプレーヤ１０が再生中であるか否かを判定し（ステップＳ２５）、再生中であれば（ステップＳ２５:ＹＥＳ）、ステップＳ２４へ戻って、ＤＶＤ４０からコンテンツ補足情報のコードを読み取り、ステップＳ２４〜Ｓ２５の処理を反復する。また、再生中でなければ（ステップＳ２５:ＮＯ）、処理を終了する（ステップＳ２６）。
【００４４】
一方、携帯電話機３０においては、電源をＯＮにし（ステップＳ３１）、操作部３１のキー操作により、動作モードをプレーヤ通信モードに設定すると（ステップＳ３２）、受信待ちの待機状態となる（ステップＳ３３）。そして、ステップＳ２４でＤＶＤプレーヤ１０から送信されたコンテンツ補足情報のコードを通信部３５で受信すると（ステップＳ３４）、受信したコードをサーバ５０へ転送する（ステップＳ３５）。
【００４５】
サーバ５０は、常時待機状態にあり（ステップＳ４１）、携帯電話機３０から転送されたコンテンツ補足情報のコードを受信すると（ステップＳ４２）、このコードをキーとして、データベース５６（図１０）におけるコンテンツ補足情報を検索する（ステップＳ４３）。検索の結果、受信したコードに対応するコンテンツ補足情報があれば（ステップＳ４４：ＹＥＳ）、その補足情報を抽出し、通信部５２から携帯電話機３０の通信部３５へ抽出した補足情報を送信する（ステップＳ４５）。そして、送信後、ステップＳ４１へ戻って、携帯電話機３０から次のコードを受信するのを待つ。また、データベース５６を検索した結果、受信したコードに対応するコンテンツ補足情報がなければ（ステップＳ４４：ＮＯ）、ステップＳ４５を実行することなく、すなわち携帯電話機３０へ補足情報を送信することなく、ステップＳ４１へ戻り、次のコードを受信するのを待つ。
【００４６】
携帯電話機３０では、ステップＳ３５を実行した後、サーバ５０からコンテンツ補足情報が送られて来るのを待ち、コンテンツ補足情報を通信部３５が受信すると（ステップＳ３６）、受信した補足情報を表示部３３に表示する（ステップＳ３７）。その後、ステップＳ３３へ戻り、ＤＶＤプレーヤ１０から次のコードを受信するのを待つ。
【００４７】
上述した第２実施形態において、携帯電話機３０の表示部３３に表示されるコンテンツ補足情報は、第１実施形態の場合と同じであり、例えば、図６（ａ）のようなインデックス情報、図６（ｂ）のようなプロフィール情報、図６（ｃ）のようなストーリー情報、図７（ａ）〜（ｃ）のような解説情報などが、文字や画像により表示される。また、第１実施形態と同様に、文字や画像に加えて音声を出力してもよく、場面に応じて携帯電話機３０に振動を発生させるようにしてもよい。視聴者は、これらの情報を取得することによって、映画をより一層楽しむことができる。また、補足情報は、モニタ２０ではなく携帯電話機３０の表示部３３に表示されるため、モニタ２０の画面に映し出される映像が補足情報の文字や画像によって邪魔されることもない。
【００４８】
また、第２実施形態のシステムでは、ＤＶＤプレーヤ１０から携帯電話機３０へコンテンツ補足情報そのものを送信するのではなく、補足情報のコードのみを送信し、このコードを携帯電話機３０からサーバ５０へ転送して、サーバ５０でコンテンツ補足情報を抽出するようにしている。このため、ＤＶＤ４０にはコードのみを記録しておけばよく、文字や画像等のコンテンツ補足情報を記録する必要がないので、ＤＶＤ４０に記録するデータ量を大幅に低減することができる。また、携帯電話機３０側でコードを解読してコンテンツ補足情報を抽出する場合に比べて、携帯電話機３０の処理負担が軽減され、構成が複雑になることもない。さらに、コードに対応してコンテンツ補足情報を記憶した記憶装置５５を有するサーバ５０を用いることで、大量のコンテンツ補足情報をサーバ５０に蓄積することができ、豊富なコンテンツ補足情報をユーザに提供することが可能となる。
【００４９】
本発明においては、以上述べた実施形態以外にも種々の形態を採用することができる。例えば、上記実施形態では、コンテンツを記録するメディアとしてＤＶＤを例に挙げたが、メディアとしてはＤＶＤやその他の光ディスクに限らず、ハードディスクやビデオテープなどであってもよい。したがって、情報再生機器としては、ハードディスクレコーダやビデオデッキなどであってもよい。また、メディアに記録されるコンテンツは、映画に限らず、アニメーションやライブコンサートなどであってもよい。
【００５０】
また、上記実施形態では、携帯電話機３０はＤＶＤプレーヤ１０から情報を受信するのみであったが、携帯電話機３０とＤＶＤプレーヤ１０との間で双方向の通信を行えるようにして、携帯電話機３０にリモコンとしての機能を付加し、携帯電話機３０を用いてＤＶＤプレーヤ１０の遠隔操作ができるようにしてもよい。
【００５１】
また、携帯電話機３０においてコンテンツ補足情報の表示が開始される際に、音声で報知音を発生させたり、特定のパターンで振動を発生させたりすることで、ユーザの注意を喚起するようにしてもよい。
【００５２】
また、携帯電話機３０の表示部３３に表示される補足情報の中で、特定の項目（例えば主演俳優）について更に詳細な情報を入手したい場合に、操作部３１の操作によりその項目を選択することにより、携帯電話機３０をインターネットを介して所定のホームページへ接続し、当該ホームページから詳細情報を入手できるようなシステムとしてもよい。
【００５３】
また、上記実施形態では、携帯情報端末として携帯電話機を例に挙げたが、携帯情報端末は、携帯電話機に限らず、例えばＰＤＡ（Personal Digital Assistants）などの端末装置であってもよい。
【００５４】
さらに、上記実施形態では、情報再生機器と携帯情報端末とが無線で通信を行なうようにしたが、本発明はこれに限定されるものではなく、情報再生機器と携帯情報端末とをケーブルで接続して、有線で通信を行うようにしてもよい。
【図面の簡単な説明】
【００５５】
【図１】本発明に係るコンテンツ補足情報提供システムの第１実施形態を示す図である。
【図２】ＤＶＤプレーヤの電気的構成を示したブロック図である。
【図３】携帯電話機の電気的構成を示したブロック図である。
【図４】ＤＶＤにおける記録フォーマットの一部を示した図である。
【図５】第１実施形態の動作を示したフローチャートである。
【図６】携帯電話機の表示部に表示されるコンテンツ補足情報の一例である。
【図７】携帯電話機の表示部に表示されるコンテンツ補足情報の一例である。
【図８】本発明に係るコンテンツ補足情報提供システムの第２実施形態を示す図である。
【図９】サーバの電気的構成を示したブロック図である。
【図１０】サーバにおけるデータベースの一例を示した図である。
【図１１】第２実施形態の動作を示したフローチャートである。
【符号の説明】
【００５６】
１０  ＤＶＤプレーヤ（情報再生機器）
２０  モニタ
３０  携帯電話機（携帯情報端末）
３３  表示部
３４  音声出力部
３５  通信部
３７  振動発生部
４０  ＤＶＤ
５０  サーバ
５２  通信部
５５  記憶装置
５６  データベース
５７  制御部
【図１】
2005260322.tif 000003
【図２】
2005260322.tif 000004
【図３】
2005260322.tif 000005
【図４】
2005260322.tif 000006
【図５】
2005260322.tif 000007
【図６】
2005260322.tif 000008
【図７】
2005260322.tif 000009
【図８】
2005260322.tif 000010
【図９】
2005260322.tif 000011
【図１０】
2005260322.tif 000012
【図１１】
2005260322.tif 000013